(57)【要約】【課題】ホールＩＣとマグネットとの横並び方向の距離を一定に保った状態でマグネットを摺動方向に簡易に移動調節できるようにしたタッチセンサーを提供する。【解決手段】本願タッチセンサー１は、ケーシング２内に、外方に向けてバネ４にて付勢された摺動軸５の内端側に設置したマグネット７と、該マグネット７の摺動域の側方に設置したホールＩＣ９とを備え、前記マグネット７を摺動軸５の摺動方向に移動可能にし、ホールＩＣ９との横並び方向の距離をそのまま維持して、マグネット７の移動によりスイッチ動作点の微調節が簡易にできるように構成した。具体的には、前記マグネット７が、摺動軸５の内端側空洞部内に収納され、摺動方向の一方にはバネ２３により移動し、他方には前記バネ２３に抗してスクリュウ軸２４により移動するように構成した【選択図】図１
2005116410.tif 000002
【特許請求の範囲】
【請求項１】
外方に向けてバネ付勢された摺動軸の内端側に設置したマグネットと、該マグネットの摺動域の側方に設置したホールＩＣとを備えたタッチセンサーにおいて、前記マグネットの設置位置をその摺動方向に移動可能にしたことを特徴とするタッチセンサー。
【請求項２】
前記マグネットが、摺動軸の内端側空洞部内に収納され、摺動方向の一方にはバネにより移動し、他方には前記バネに抗してスクリュウ軸により移動するようになっていることを特徴とする請求項１に記載のタッチセンサー。
【発明の詳細な説明】
【技術分野】
【０００１】
本発明はホールＩＣによりマグネットの磁界を検出してスイッチ動作するタッチセンサーに関するものである。
【背景技術】
【０００２】
従来のこの種のタッチセンサーを図５に示す。これは被測定物（図示せず）に接触させる外端部５２がケーシング５１より突出するように、外方に向けてバネ５３により押圧付勢された摺動体５４の内部にマグネット５５を搭載し、該マグネット５５の摺動方向Ｓに沿う側方の壁面５６に、ホールＩＣ５７を設置し、該ホールＩＣ５７が前記被測定物との関係で摺動するマグネット５５の磁界を検出（マグネットのＮ極とＳ極の境界点ａにホールＩＣの検出点ｂが反応）することによってスイッチ動作をするようになっていた。
【０００３】
前記ホールＩＣ５７はマグネット５５のＳ極に反応する。この場合、ホールＩＣ５７とマグネット５５との横並び方向の距離Ｄを「確実にＳ極で反応する」距離に設定しておけば、１個々々のホールＩＣ５７の感度のばらつき、或いはマグネット５５の磁界の強さのばらつきがあったとしても動作する位置は殆ど変化しない。したがって、横並び方向の距離を保ってホールＩＣ５７とマグネット５５との摺動方向（Ｓ方向）の位置関係を一定にすれば、製品毎の動作点［ＯＮ→ＯＦＦ（閉→開）、ＯＦＦ→ＯＮ（開→閉）］のばらつきは生じない。
【発明の開示】
【発明が解決しようとする課題】
【０００４】
しかしながら、上記従来のタッチセンサーにあって、製品毎の動作点を修正する等のために摺動方向の位置関係を調節する必要が生じた場合において、ホールＩＣ５７は設置してある壁面５６から剥がして貼り替えることになるが、作業のばらつき等のために調節は極めて困難であった。
【０００５】
本発明は上記の点に鑑み創出したもので、その目的とするところは、ホールＩＣとマグネットとの横並び方向の距離を一定に保った状態でマグネットを摺動方向に簡易に移動調節できるようにしたタッチセンサーを提供することにある。
【課題を解決するための手段】
【０００６】
上記目的を達成するため、本発明に係るタッチセンサーは、外方に向けてバネ付勢された摺動軸の内端側に設置したマグネットと、該マグネットの摺動域の側方に設置したホールＩＣとを備えたタッチセンサーにおいて、前記マグネットを摺動軸の摺動方向に移動可能に構成したものである。
【０００７】
また、請求項２に記載の発明に係るタッチセンサーは、前記マグネットが、摺動軸の内端側空洞部内に収納され、摺動方向の一方にはバネにより移動し、他方には前記バネに抗してスクリュウ軸により移動するように構成した。
【発明の効果】
【０００８】
本発明に係るタッチセンサーは、外方に向けてバネ付勢された摺動軸の内端側に設置したマグネットと、該マグネットの摺動域の側方に設置したホールＩＣとを備えたタッチセンサーにおいて、前記マグネットを摺動軸の摺動方向に移動可能に構成したことから、ホールＩＣとの横並びの距離をそのままに、マグネットの移動によりスイッチ動作点の微調節が簡易にできるという優れた効果を奏するものである。
【０００９】
また、請求項２に記載の発明に係るタッチセンサーは、前記マグネットが、摺動軸の内端側空洞部内に収納され、摺動方向の一方にはバネにより移動し、他方には前記バネに抗してスクリュウ軸により移動するように構成したことから、スクリュウ軸を緩める方向或いは締め込む方向に回動させるだけで簡単にスイッチ動作点の微調節ができるという優れた効果を奏するものである。
【発明を実施するための最良の形態】
【００１０】
次に、本発明の実施形態を図面に基づいて説明する。図１は本願タッチセンサーの平時の状態を示す側面断面図、図２は本願タッチセンサーの被測定物に作動した状態を示す側面断面図、図３は要部拡大断面図、図４は図３の状態からマグネットを移動させた後の要部拡大断面図である。
【００１１】
本願タッチセンサー１は、図１に示す如く、ケーシング２より被測定物（図示せず）に接触させる外端部３が突出するように、外方に向けてバネ４により押圧付勢された摺動軸５の内端部に設けた空洞部６にマグネット７を設置し、該マグネット７の設置位置を移動可能にし、その摺動域の側方の壁面８に設置したホールＩＣ９との横並びの距離を保って調節ができるようにしている。
【００１２】
前記摺動軸５は、外端部３を有する第１部分５ａと、空洞部６を有する第２部分５ｂとが別体に構成されている。この第１部分５ａは第１室１０に摺接しており、第２部分５ｂは前記第１室１０に段部１１を介して拡大した第２室１２内にある。該第２室１２には段部１３を介して更に拡大した第３室１４が隣接して設けられている。
【００１３】
前記第１部分５ａは、内端側の鍔部１５が前記段部１１に当って外方への摺動が規制され、また、外端部３寄りに嵌めたリング１６がストッパー１７に当たることにより内方への摺動が規制されるようになっている。
【００１４】
また、第２部分５ｂの外端５ｂ′は前記第１部分５ａの内端に当接し、空洞部６を有する第２部分５ｂの内端側は径大になり、その径大端面１８が前記第２室１２の内端側に嵌挿された筒部１９の内孔端に当接している。そして、第２部分５ｂは、その外端寄りに嵌めたリング２０と前記筒部１９との間に介装した前記バネ４により外方に向けて押圧付勢され、同時に、前記第１部分５ａを後押ししている。したがって、第１部分５ａの外端部３が被測定物（図示せず）により内方へ押されると、その力は第１部分５ａから第２部分５ｂに伝えられ、図２の如く、バネ４を圧縮させながら一体的に内方へ摺動する。そして被測定物（図示せず）が逃げると、バネ４の作用により、図１の状態に復帰する。換言すれば、摺動軸５は、第１部分５ａと第２部分５ｂとに別けて構成されているが、前記バネ４の作用により常に一体的に摺動するものである。
【００１５】
前記筒部１９は、前記第３室１４内に設置された主筒部２１と一体構成され、筒部１９と筒主部２１との内孔内を摺動する摺動軸５の空洞部６内には前述の如く、マグネット７が設置され、該摺動軸５の摺動域の側方の壁面８にはホールＩＣ９が設置されている。このホールＩＣ９を設置した壁面８は、前記筒主部２１に設けた切欠部２２の底面に対応している。
【００１６】
前記摺動軸５の空洞部６内に設置されたマグネット７は摺動方向の一方（矢印イ方向）にはバネ２３の圧力により移動し、摺動方向の他方（矢印ロ方向）には前記バネ２３に抗してスクリュウ軸２４により移動できるようになっている。該スクリュウ軸２４は前記空洞部６の内端に嵌入したスクリュウ受体２５に支持されている。
【００１７】
次に、前記マグネット７の移動について説明する。例えば、マグネット７が、図３の如く、設置されている場合において、スクリュウ軸２４を、図４の如く、図において右方向（緩める方向）に移動させると、マグネット７はバネ２３の圧力により押され、図において右方向（矢印イ方向）に移動する。一方、マグネット７が、図４の如く、設置されている場合において、スクリュウ軸２４を、図３の如く、図において左方向（締め込む方向）に移動させると、マグネット７はバネ２３に抗して、図において左方向（矢印ロ方向）に移動することとなる。
【００１８】
上述の如く、スクリュウ軸２４を緩める方向或いは締め込む方向に回動させることによってホールＩＣ９との横並び距離はそのままにして、マグネット７を摺動軸５の摺動方向に任意に移動させることができる。したがって、マグネット７とその磁界を検出するホールＩＣとによるスイッチ動作点は任意に調節（微調節を含む）できることとなる。
【００１９】
なお、前記スクリュウ軸２４は調整後に緩むことがないように固定することもある。また、図３及び図４のマグネット７の極性（図において、左側がＳ極、右側がＮ極）では、ホールＩＣ９の動作が、ＯＮ→ＯＦＦ（閉→開）になるが、該マグネット７の極性（Ｓ極とＮ極）を逆にすることによりＯＦＦ→ＯＮ（開→閉）にすることも可能である。
【図面の簡単な説明】
【００２０】
【図１】本願タッチセンサーの摺動軸が外方に摺動した状態（平時）を示す側面断面図である。
【図２】本願タッチセンサーの摺動軸が内方に摺動した状態（被測定物の測定時）を示す側面断面図である。
【図３】マグネットを左方向に移動させた状態を示す要部拡大断面図である。
【図４】マグネットを右方向に移動させた状態を示す要部拡大断面図である。
【図５】従来のタッチセンサーを示す断面図である。
【符号の説明】
【００２１】
１  本願タッチセンサー
２  ケーシング
３  外端部
４  バネ
５  摺動軸
５ａ  第１部分
５ｂ  第２部分
５ｂ′  第２部分の外端
６  空洞部
７  マグネット
８  壁面
９  ホールＩＣ
１０  第１室
１１  段部
１２  第２室
１３  段部
１４  第３室
１５  鍔部
１６  リング
１７  ストッパー
１８  径大端面
１９  筒部
２０  リング
２１  主筒部
２２  切欠部
２３  バネ
２４  スクリュウ軸
２５  スクリュウ受体
【図１】
2005116410.tif 000003
【図２】
2005116410.tif 000004
【図３】
2005116410.tif 000005
【図４】
2005116410.tif 000006
【図５】
2005116410.tif 000007